(57)【要約】 【課題】洗浄液と試料とのコンタミネーションを効果的に防止することができ、かつ、フローセルやニードルの洗浄から試料の吸光度の計測までの所要時間を短縮することのできる分光光度計計測システムおよび分光光度計計測方法を提供すること。【解決手段】分光光度計計測システム１００は、フローセル８を備えた分光光度計２と、試料をフローセル８に自動注入するオートサンプラ１と、から構成される。オートサンプラ１は、流体の吸引および吐出をおこなうシリンジ３と、シリンジ３と連通する流路切替え用の三方バルブ４と、流路９１を介して三方バルブ４に連通する洗浄液収容部６と、流路９３を介して三方バルブ４に連通するとともに流路９３，９４の端部に接続されたニードル７とからなり、流路９３，９４の途中にフローセル８が配設されている。【選択図】図１
2007187474.tif 000002
【特許請求の範囲】
【請求項１】
フローセルを備えた分光光度計と、試料を該フローセルに自動注入するオートサンプラと、を含み、発色する試料の吸光度または試料自体の吸光度を計測する分光光度計計測システムであって、
前記オートサンプラは、流体の吸引および吐出をおこなうポンプと、ポンプと連通する流路切替え用のバルブと、第１の流路を介してバルブに連通する洗浄液収容部と、第２の流路を介してバルブに連通するとともに該第２の流路の端部に接続されたニードルと、を含み、
第２の流路の途中にフローセルが配設されており、ニードルから吸引された試料は少なくともフローセルに送液可能となっており、洗浄液収容部からの洗浄液がフローセルおよびニードルに送液可能となっていることを特徴とする分光光度計計測システム。
【請求項２】
前記オートサンプラは、前記ポンプによる流体の吸引速度または吐出速度、および／または、流体の吸引量または吐出量を調整する制御部をさらに備えていることを特徴とする請求項１に記載の分光光度計計測システム。
【請求項３】
少なくともエアー吸引と試料吸引を１回以上繰り返すように試料吸引方法が制御されていることを特徴とする請求項１または２に記載の分光光度計計測システム。
【請求項４】
ポンプと連通するバルブと、バルブに連通する洗浄液収容部と、バルブに連通するとともに試料を吸引するニードルと、からなるオートサンプラと、バルブとニードルとの間に配設されたフローセルと、を含む分光光度計計測システムを使用して、発色する試料の吸光度または試料自体の吸光度を計測する分光光度計計測方法であって、
ポンプにて洗浄液を吸引するとともに洗浄液を吐出することによって少なくともフローセルとニードルを洗浄する第１の工程と、
ニードルから吸引された試料をフローセルに導き、試料の吸光度を計測する第２の工程と、を含み、
試料ごとに前記第１の工程と第２の工程が繰り返されるようになっており、少なくともエアー吸引と試料吸引を１回以上繰り返すように試料の吸引がおこなわれることを特徴とする分光光度計計測方法。
【発明の詳細な説明】
【技術分野】
【０００１】
本発明は、発色する試料の吸光度または試料自体の吸光度を計測する分光光度計計測システムと分光光度計計測方法に係る。例えば、洗浄液と試料とのコンタミネーションを効果的に防止することができ、かつ、フローセルやニードルの洗浄から試料の吸光度の計測までの所要時間を短縮することのできる分光光度計計測システムおよび分光光度計計測方法に関するものである。
【背景技術】
【０００２】
分光光度計は、シアンやりんなどの上水試験法やJISに指定されている項目を計測することに用いられている。このような項目の計測では、試料に反応試薬を用いてその発色程度を計測することにより、目的成分の濃度を求めることができる。
【０００３】
分光光度計測においては、メスフラスコなどを用いて手作業で発色させ、それを角セル等を用いて計測する方法と、試料を混合できる機能を持つオートサンプラを用いる方法がある。また、試料を測光するために試料を計測部に設置する方法としては、角セルを用いる方法とフローセルを用いる方法が一般に適用されている。
【０００４】
角セルを用いる方法は、キャリオーバやコンタミネーション等の影響を無くして計測できることから計測結果の再現性としては有利であるが、別の試料を計測する際に、その都度セルを入れ替えなくてはならないことから、異なる試料の連続計測にはフローセルを用いた方法が有利である。フローセルに試料を吸引させるシステムとしては、「よくわかる分析化学のすべて」（（社）日本分析機器工業会）（非特許文献１）に示すようなオートサンプラを用いたシステムを挙げることができる。
【０００５】
フローセルとシリンジ機構をもったオートサンプラを用いた分光光度計システムの場合、計測までの手順は、フローセルや液体の流路やニードルの洗浄、試料の吸引、試料のフローセルへの送液、計測、再度の洗浄といったサイクルとなる。洗浄時には、まずニードルを洗浄ポートに移動させる。次にバルブを洗浄液側に設定してシリンジを引くことにより、洗浄液がシリンジ内に満たされる。次いで、バルブをニードル側に切替えてシリンジを押すことにより、洗浄液がシリンジによって押し出され、ニードルから洗浄液が吐出され、ニードルの先端部分が洗浄される。この試料の吸引に際しては、試料の全量を吸引できるようにニードル先端を試料最下部まで落として試料吸引をおこなう。試料をフローセルへ送液する際には、ニードルを注入ポートに移動させ、吸引された試料はシリンジを押すことによってフローセルへ送液され、試料がフローセルを満たすこととなる。試料がフローセル内で安定した段階で、信号が光度計本体に送信されて吸光計測がおこなわれる。ニードルは計測が完了するまで注入ポートにある。最後の洗浄段階では、ニードルは注入ポートにあり、ここで最初の洗浄と同様に洗浄液をシリンジに取り込み、バルブを切替えた後に洗浄液を吐出し、洗浄液がフローセルに送液されることでフローセルやニードル、流路の洗浄がおこなわれる。ここでも、シリンジを引くことによって洗浄液がニードルを通り、チューブ内に吸引される。計測時には、注入ポートにニードルをセットし、シリンジを押し出すことによってフローセルに試料が注入され、フローセル内で試料が安定した段階で計測がおこなわれる。
【０００６】
【非特許文献１】よくわかる分析化学のすべて（（社）日本分析機器工業会、2001年10月25日初版、47ページ）
【発明の開示】
【発明が解決しようとする課題】
【０００７】
本願発明者が鋭意検討した結果、上記する従来の計測方法では、サンプルと洗浄液とのコンタミネーションにより、結果的に該サンプルが希釈されてしまい、図７のように検量線が正規の直線から曲がる場合が往々にしてあることが判明した。これは、フローセル内や流路内に残存した洗浄液と試料が混ざり合うことによって試料が希釈される、いわゆるコンタミネーションに起因するものであることが発明者等によって特定されている。試料が低濃度域にいくにつれて、コンタミネーションの影響はより大きくなる。さらに、フローセルや流路、ニードルの洗浄、試料の吸引、試料のフローセルへの送液、計測、洗浄からなるサイクル工程は比較的長時間を要するといった問題があった。特に、従来のアートサンプラを適用した分光光度計計測システムでは、シリンジが流路を介してバルブに接続され、さらに流路を介してニードルが接続され、ニードルから試料を吸引した後、フローセルの吸入ポートにニードルを設置し、ニードルを介して吸引された試料をフローセルに送液する方法が適用されており、システムを構成する各機器の配設順序が上記サイクル工程に要する所要時間を長くしている大きな原因であった。
【０００８】
本発明は、洗浄液と試料とのコンタミネーションを効果的に防止するとともに、フローセルやニードルの洗浄から試料の吸光度の計測までの所要時間を短縮することのできる分光光度計計測システムおよび分光光度計計測方法を提供することを目的としている。
【課題を解決するための手段】
【０００９】
本発明による分光光度計計測システムは、フローセルを備えた分光光度計と、試料を該フローセルに自動注入するオートサンプラと、を少なくとも含み、発色する試料の吸光度または試料自体の吸光度を計測する分光光度計計測システムである。前記オートサンプラは、流体の吸引および吐出をおこなうポンプと、ポンプと連通する流路切替え用のバルブと、第１の流路を介してバルブに連通する洗浄液収容部と、第２の流路を介してバルブに連通するとともに該第２の流路の端部に接続されたニードルと、を少なくとも含んでおり、第２の流路の途中にフローセルが配設されており、ニードルから吸引された試料は少なくともフローセルに送液可能となっており、洗浄液収容部からの洗浄液がフローセルおよびニードルに送液可能となっている。
【００１０】
また、本発明による分光光度計計測方法は、ポンプと連通するバルブと、バルブに連通する洗浄液収容部と、バルブに連通するとともに試料を吸引するニードルと、からなるオートサンプラと、バルブとニードルとの間に配設されたフローセルと、を含む分光光度計計測システムを使用して、発色する試料の吸光度または試料自体の吸光度を計測する分光光度計計測方法である。ポンプにて洗浄液を吸引するとともに洗浄液を吐出することによって少なくともフローセルとニードルを洗浄する第１の工程と、ニードルから吸引された試料をフローセルに導き、試料の吸光度を計測する第２の工程と、を少なくとも含んでおり、試料ごとに前記第１の工程と第２の工程が繰り返されるようになっており、少なくともエアー吸引と試料吸引を１回以上繰り返すように試料の吸引がおこなわれることを特徴とするものである。
【発明の効果】
【００１１】
本発明によれば、残存した洗浄液による試料の希釈化を防止することができるとともに、洗浄から計測までの所要時間を短縮することができる。
【発明を実施するための最良の形態】
【００１２】
以下、図面を参照して本発明の実施の形態を説明する。図１は、本発明の計測システムの一実施形態の構成を示した模式図を、図２は、図１において、分光光度計と制御部の構成を詳細に示した模式図をそれぞれ示している。図３は、本発明の計測方法の一実施形態を示したフローを、図４は、本発明の計測方法の一実施形態を詳細に示したフローをそれぞれ示している。図５は、試料の注入量とコンタミネーションの関係を示したグラフを、図６は、本発明の計測システムによって作成された検量線を示したグラフをそれぞれ示している。
【００１３】
図１は、本発明の計測システムの一実施形態を示したものである。この計測システム１００は、オートサンプラ１と分光光度計２とから大略構成されている。オートサンプラ１は、試料の分注、反応液と試料との混合／攪拌、発色液のフローセルへの送液機能を有している。試料、洗浄液の流路は、ニードル７、フローセル８、三方バルブ４、シリンジ３、洗浄液収容部６と、ニードル７とフローセル８を繋ぐチューブ９４、フローセル８と三方バルブ４を繋ぐチューブ９３、三方バルブ４とシリンジ３を繋ぐチューブ９２、三方バルブ４と洗浄液収容部６を繋ぐチューブ９１とから構成されている。なお、各機器同士を繋ぐチューブ９１，９２，９３，９４は、適宜の内径および長さを有するチューブを使用することができる。
【００１４】
ニードル７は、試料の分注時にはその先端が試料内に配設されることで試料が吸引される。洗浄時には、ニードル７の先端は洗浄ポート５５に配設されて洗浄液が吐出される。
【００１５】
三方バルブ４は洗浄水の流路を変更するものであり、シリンジ側、洗浄液収容部側、フローセルおよびニードル側の３方と連通している。そのうち２つの方向を同時に開にすることができ、その一つは、シリンジ側と洗浄液収容部側を連通させるルートであり、他の一つは、シリンジ側とニードル側を連通させるルートであり、バルブの切替えによって双方のルートを適宜選択することができる。洗浄時には、まず三方バルブ４をシリンジ側と洗浄液収容部側にし、シリンジ３を引くことにより、シリンジ３内に洗浄液が入り、次いで三方バルブ４をシリンジ側とニードル側に切替え、シリンジ３を押し出すとシリンジ３内の洗浄液がフローセル８およびニードル７側に流れていく。試料吸引時には、三方バルブ４をシリンジ側とニードル側に設定し、シリンジ３を引くことによって試料がニードル７を介して吸引される。それを吐出する際にも、三方バルブ４はシリンジ側とニードル側にしておく。シリンジ３を押し出すと、吸引された試料がニードルの先端から吐出される。
【００１６】
シリンジ３はポンプ機能を有しており、試料吸引時には、シリンジ３が引かれることによって試料がニードル先端から吸引され、シリンジ３を押し出すと、洗浄液やニードル７から吸引された試料が吐出される。洗浄時には洗浄液収容部６から洗浄液をシリンジ３内に吸引し、三方バルブ４を切替え、シリンジ３を押し出すことで洗浄液がフローセル８およびニードル７の方向へ送液される。ここで、ニードル７とフローセル８をつなぐチューブ９４の長さは、ニードル７が洗浄ポート５５と試験管５１との間を移動するに十分な長さに設定しておくのがよい。また、フローセル８と三方バルブ４を繋ぐチューブ９３の長さは、試料を吸引しても三方バルブ４の位置まで試料が到達しないだけの長さに設定しておくのがよい。
【００１７】
試験管５１は、発色試薬と試料を混合し、発色させる場所である。最初は試験管５１内は空な状態となっている。試料を一定量取り、この試験管５１内に入れる。次いで発色試薬も一定量取り、試験管５１内に入れる。ここで、試薬管５３は試薬を入れる容器であり、サンプル数分の試薬が入れられている。また、試薬管５４も同様に別途の試薬を入れる容器である。
【００１８】
試料収容管５２は試料を入れておく容器である。発色作業においては、まず試料収容管５２から一定量の試料を吸引し、試験管５１に吐出する。次いで試薬管５３と試薬管５４から一定量の発色試薬を取り、試験管５１に加え、攪拌しながら所定の反応時間を待つ。攪拌はニードル７から試料と試薬を混合したものを、吸引／吐出を数回繰り返しておこなわれる。フローセル８は、吸光計測部であるため、分光光度計２の本体の中にセットされることとなる。ニードル７から吸引された試料がフローセル８に到達するように、ニードル７、ニードル７とフローセル８をつなぐチューブ９４、フローセル８内の容量を勘案しながら試料吸引がおこなわれる。
【００１９】
また、オートサンプラ１にはニードル７のＸ，Ｙ，Ｚ方向（３次元方向）の位置制御、三方バルブ４の切替制御、シリンジ３を押し出す際と吸引する際の速度の設定、接点信号の発信、タイマー機能などの制御機能を有しており、また、それらを組み合わせたプログラムがパーソナルコンピュータ内に収容されている。このため、試料の吸引量や吐出量の変更、吸引速度と吐出速度の変更も適宜おこなうことが可能となる。発色作業から計測までの工程は、適宜にプログラミングされ、例えばシーケンス制御にてオートサンプラ１を構成する各機器が作動することができる。計測システム１００によれば、反応試薬や試料、洗浄液を予めセットしておくことで、発色作業や洗浄作業を自動化することができる。
【００２０】
図２は、分光光度計と制御部の構成を詳細に示した模式図である。分光光度計２は、試料中の特性成分に吸収される度合いを計測して、その特定成分を定量するものであり、オートセル８に注入された試料をブランク液と比較しながら計測する装置である。タングステンランプや水素放電管などの光源２０から出射された光は分光器２１により、可視光線や赤外線等の単色光となり、この単色光がフローセル８内の試料に照射され、試料を透過した光が検出器２２に入射される。試料は、オートサンプラ１によってフローセル８に導入されて計測される。制御用のパーソナルコンピュータ２３内には、検出器２２からの信号を処理する信号処理部２３ｂと、光源２０や分光器２１、オートサンプラ１を制御する制御部２３ａ、計測結果を画面表示する表示部２３ｃが備えられている。
【００２１】
本発明の計測システム１００によれば、シリンジ３（ポンプ）、三方バルブ４、フローセル８、ニードル７の順に各機器が流路にて接続された構成となっていることにより、ニードル７から吸引された試料を直接フローセル８に送液することができるため、計測時間の短縮を図ることが可能となる。また、流路内を移動する試料の移動量が従来のシステムに比べて格段に短縮されるため、流路内に残存する洗浄液による試料の希釈化（コンタミネーション）を効果的に防止することが可能となる。
【００２２】
図３は、計測システム１００を使用して、例えば排水中のりん成分を計測する計測方法のフローを示している。図示するように、計測方法は、洗浄（ステップＳ１）、試料吸引（ステップＳ２）、計測（ステップＳ３）の順でおこなわれる。より具体的には、洗浄工程（ステップＳ１）においては、ニードル７、フローセル８に洗浄液を流す。洗浄液を流すに際し、ニードル７を洗浄ポート５５に移動しておく。
【００２３】
次いで、三方バルブ４を洗浄液収容部側に設定してシリンジ３を引くことにより、洗浄液がシリンジ３内に入って充満する。
【００２４】
次いで、三方バルブ４をニードル側に切替えてシリンジ３を押し出すことにより、洗浄液がフローセル８、ニードル７を通って洗浄ポート５５に排出される。試料吸引工程（ステップＳ２）において、ニードル７は発色液の入った試験管５１に移動し、発色液が吸引できるように液底部分まで下ろされる。三方バルブ４をニードル側にしてシリンジ３を引く。発色液はニードルを通過し、フローセル８まで到達する。
【００２５】
計測工程（ステップＳ３）においては、試料吸引工程が終了し、試料がフローセル８内で安定するまで数秒待ち、オートサンプラ１から分光光度計２に信号を送る。信号を受け取った分光光度計２は発色液の吸光度を計測する。計測終了後、再度洗浄工程（ステップＳ１）に移行する。
【００２６】
洗浄後のフローセル８やニードル７、さらにはそれらを繋ぐ流路内は、常時洗浄液にて満たされた状態となっているのが一般的である。この状態で、ニードルから試料を吸引すると、流路やニードル内に満たされた洗浄液と試料とが混ざり合うことで、試料が希釈化される可能性が高い。
【００２７】
そこで、試料の吸引の際には、まず、エアーを吸引し、次いで試料を吸引し、さらにエアーを吸引するといった吸引方法を適用することで、残存する洗浄液と試料との混合をエアー層にて確実に縁切りすることができ、双方の混合を防止することができる。エアーおよび試料の吸引方法として、試料外にて一定量のエアーを吸引後にニードル７を試料内に浸漬させて試料を吸引し、次いでニードル７を試料外に移動させてエアーを吸引するといったニードル７の移動制御をおこなうことにより実現することができる。
【００２８】
上記する計測システム１００や計測方法によれば、洗浄液による試料の希釈化を確実に防止することが可能となり、したがって、高精度な吸光度計測（相関係数の高い検量線の作成）を実現することができる。
【実施例】
【００２９】
次に、本発明の計測システムおよび計測方法により、JISK0102に記載のリン酸イオンの計測をおこなった実験およびその結果に関して以下に詳細に説明する。なお、計測システムにおいて、５ｍＬのシリンジ、内径がφ０．８ｍｍで長さが１ｍのチューブ９４，９１、内径がφ０．８ｍｍで長さが１０ｍのチューブ９３、約１０ｍＬの容量の内径φ１２ｍｍ、長さ１０５ｍｍの試験管５１と試料収容管５２、５０ｍＬ容量の試薬管５３，５４、セルの内容量が７０μＬのフローセル８をそれぞれ使用した。
【００３０】
ここで、図４は本発明の計測方法によってリン成分を計測する際の、オートサンプラの具体的な作用を示したフローであり、オートサンプラを稼動させる一連のプログラムでもある。すなわち、オートサンプラ１は、パーソナルコンピュータの制御部にて、かかる一連の流れでシーケンス制御されている。JISK0102に記載のリン酸イオンの計測方法は、発色試薬のモリブデン酸アンモニウム溶液とアスコルビン酸溶液を体積比５：１で混ぜ、その混合液を試料に対して２：２５の割合で混ぜ、発色させるようになっている。この計測方法では、反応試薬は混合せずに個々に扱うこととする。反応液Ｒ１はモリブデン酸アンモニウム溶液、反応液Ｒ２はアスコルビン酸溶液を使用できる。反応液Ｒ１は試薬管５３に、反応液Ｒ２は試薬管５４にそれぞれ入れておく。また、洗浄液収容部６には精製水を入れておく。また、試料収容管５２には試料が充分に入っている。
【００３１】
まず、ステップＳ２００では、ニードル７からチューブ９４、フローセル８、チューブ９３の流路に洗浄液を流すことによって洗浄がおこなわれる。次に試料と試薬の発色工程に入る。ステップＳ２０１では、反応液Ｒ１を２６６μＬ吸引し、空な試験管５１に反応液Ｒ１を入れる。このとき、反応液Ｒ１をエアーで挟むようにエアー、反応液Ｒ１、エアーの順で吸引する。
【００３２】
ステップＳ２０２では、試料を４０００μＬ吸引し、反応液Ｒ１が入った試験管に入れる。このときもステップＳ２０１のときと同じようにエアーの層を挟んでいる。次いで、ステップＳ２０３において、反応液Ｒ２を５４μＬ吸引し、反応液Ｒ１と試料が入った試験管５１に入れる。ステップＳ２０４では、試料と反応液を混ぜるためにエアーを吸引するとともに試料内で吐出し、混合する（バブリング）。このステップでは、試料を吸引するとともに、吐出して混合させる方法であってもよい。
【００３３】
ステップＳ２０５では、精製水をフローセル８に満たすために、流路内の洗浄を行う。ここでの精製水は洗浄液と同じである。精製水が入っている洗浄液収容部６からシリンジ３を引くことにより、シリンジ３内に精製水が取り込まれ、次いで三方バルブ４を切替えてニードル側に精製水を流すことにより、フローセル８とニードル７の双方を洗浄することができ、フローセル８内が精製水で満たされた状態となる。
【００３４】
ステップＳ２０６では、オートサンプラ１から計測信号を発信させ、オートゼロ計測を行う。次いで、ステップＳ２０７において発色液を吸引する。このときもエアー、発色液、エアー、発色液の順に吸引する。ここでフローセル内には発色液が満たされた状態となる。次いで、ステップＳ２０８において、フローセル８内のよどみがなくなるまで待つ。ステップＳ２０９に移行し、よどみがなくなった段階でオートサンプラ側から信号が発信され、計測がおこなわれる。計測が終わると、計測結果がパーソナルコンピュータ２３の表示部２３ｃに表示される。
【００３５】
ステップＳ２１０に移行し、次の試料を計測するために流路内の洗浄がおこなわれる。そしてステップＳ２００に戻り、次の試料の計測が同様におこなわれる。
【００３６】
図５は、フローセルに流す試料量とコンタミネーションの関係を示したものである。試料量を増やすとコンタミネーションが少なくなるが、逆に試料量が少ないとコンタミネーションが多くなる。コンタミネーションは、チューブ内面やフローセル内面に残った洗浄液が計測時に送液されてくるとき、試料と混ざり希釈される現象である。よって、ある程度以上の試料量を吸引すればコンタミネーションの影響がなく、計測できるようになる。ただし、送液できる試料量には限りがあり、シリンジによる吸引量以上の試料を送液することはできない。通常は試料を吸引する前はニードルからシリンジまで洗浄液で満たされている。試料を吸引すると、試料と洗浄液の境界面は接しているために双方が混合されながら、ニードルからシリンジ方向に流れていくことになる。
【００３７】
本実験では、それを極力少なくするために試料を吸引する前にエアーの層をはさみ、エアー、試料、エアー、試料、エアー、試料という具合にチューブ内で試料と洗浄液が接しないように試料と洗浄液の間に幾層かのエアー層を含むようにしている。従来の方法では、試料吸引後、フローセル部へ送液する必要があったが、そのときも試料吸引時と同じように、注入ポートからフローセルまでの間が洗浄液で満たされているため、その洗浄液との接液を防ぐために、ニードルから試料吸引後もエアー、試料、エアー、試料、エアーという層をはさんでフローセル側に送液することもおこなわれていたが、試料が動く流路が長いため、その効果があまりなかった。それは、従来の計測システムが、シリンジ、バルブ、ニードル、フローセルという機器の配設構造となっており、したがって、吸引された試料は一気にフローセルに送液されず、吸引の後に吐出（送液）という試料の流れとなっていたことによる。
【００３８】
本実施例では、ニードル、フローセル、バルブ、シリンジの順の流路にすることにより、ニードルで吸引された試料はそのままフローセルに送液されることから、試料が動く流路も従来に比して格段に短くすることができ、その結果としてコンタミネーションの影響も少なくすることができた。本実験によって得られた計測結果を表１に、図６にその際の検量線を示している。
【００３９】
【表１】
2007187474.tif 000003
【００４０】
表１は、検量線用の標準液の０．００〜０．８０ｍｇ／Ｌの濃度に対する吸光度の値である。コンタミネーションの少ない結果が得られており、図６からも明らかなように、検量線の相関係数も０．９９９以上と極めて良好な結果を得ることができた。
【００４１】
本実施例は従来のフローセル、ニードル、バルブ、シリンジの機器構成から、ニードル、フローセル、バルブ、シリンジの機器構成の流路とすることにより、ニードルからフローセルに送液される際の洗浄液によるコンタミネーションの影響を少なくすることができ、したがって精度の高い吸光計測が可能となった。また、かかる流路の変更により、洗浄工程内のニードルの洗浄回数やニードルの移動に要する工程を省略することができるので、計測時間の短縮を図ることができ、作業効率を高めることが可能となった。
【００４２】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。なお、本発明の計測システムおよび計測方法は多様な試料分析に適用することができ、例えば、生体試料、工業材料、食品などの試料分析に適用可能である。
【図面の簡単な説明】
【００４３】
【図１】本発明の計測システムの一実施形態の構成を示した模式図。
【図２】図１において、分光光度計と制御部の構成を詳細に示した模式図。
【図３】本発明の計測方法の一実施形態を示したフロー。
【図４】本発明の計測方法の一実施形態を詳細に示したフロー。
【図５】試料の注入量とコンタミネーションの関係を示したグラフ。
【図６】本発明の計測システムによって作成された検量線を示したグラフ。
【図７】従来の計測システムによって作成された検量線を示したグラフ。
【符号の説明】
【００４４】
１…オートサンプラ、２…分光光度計、２０…光源、２１…分光器、２２…検出器、２３…パーソナルコンピュータ、２３ａ…制御部、２３ｂ…信号処理部、２３ｃ…表示部、３…シリンジ（ポンプ）、４…三方バルブ、５１…試験管、５２…試料収容管、５３，５４…試薬管、５５…洗浄ポート、６…洗浄液収容部、７…ニードル、８…フローセル、９１，９２，９３，９４…チューブ（流路）、１００…計測システム
【図１】
2007187474.tif 000004
【図２】
2007187474.tif 000005
【図３】
2007187474.tif 000006
【図４】
2007187474.tif 000007
【図５】
2007187474.tif 000008
【図６】
2007187474.tif 000009
【図７】
2007187474.tif 000010